(57)【要約】【課題】複数の記録装置に対する設定を容易にできる。【解決手段】ＰＯＳ端末装置３は、無線通信する端末通信部３４と、特定のネットワーク識別子であるＳＳＩＤデフォルト値を記憶する端末記憶部３２と、無線通信によって通信可能なモバイルプリンター２（記録装置）を探索してＳＳＩＤを取得し、取得したＳＳＩＤに、ＳＳＩＤデフォルト値と一致するものが複数ある場合、ＳＳＩＤデフォルト値と一致するＳＳＩＤの複数のモバイルプリンター２と無線通信し、複数のモバイルプリンター２に対して連続して初期設定を行う端末制御部３１と、を備える。【選択図】図３
2016152430.tif 000002
【特許請求の範囲】
【請求項１】
無線通信する無線通信部と、
特定のネットワーク識別子である対象ネットワーク識別子を記憶する記憶部と、
無線通信によって通信可能な記録装置を探索してネットワーク識別子を取得し、取得したネットワーク識別子に、前記対象ネットワーク識別子と一致するものが複数ある場合、前記対象ネットワーク識別子と一致するネットワーク識別子の複数の前記記録装置と無線通信し、複数の前記記録装置に対して連続して所定の設定を行う制御部と、
を備えることを特徴とする端末装置。
【請求項２】
前記所定の設定は、前記記録装置の記録に係る設定を含み、
前記制御部は、
前記記録装置の記録に係る設定について、複数の前記記録装置に対して同一の設定を行うことを特徴とする請求項１に記載の端末装置。
【請求項３】
前記所定の設定は、所定の無線ネットワークへの接続に係るアドレスの設定を含み、
前記制御部は、
前記記録装置の前記所定の無線ネットワークへの接続に係るアドレスの設定について、複数の前記記録装置に対してそれぞれ異なるアドレスを設定することを特徴とする請求項１又は２に記載の端末装置。
【請求項４】
前記制御部は、
複数の前記記録装置に対して、予め設定された初期値をインクリメントし、前記インクリメントによって得られた値をアドレスとして設定することを特徴とする請求項３に記載の端末装置。
【請求項５】
前記制御部は、
複数の前記記録装置に対し、予め設定された複数のアドレスに基づいて、アドレスを設定することを特徴とする請求項３に記載の端末装置。
【請求項６】
前記制御部は、
複数の前記記録装置に対して前記所定の無線ネットワークへの接続に係るアドレスの設定を行って、複数の前記記録装置を前記所定の無線ネットワークへ接続させた後、前記所定の無線ネットワークを介して複数の前記記録装置と通信し、設定された情報を前記記録装置に記録させることを特徴とする請求項３乃至５のいずれか１項に記載の端末装置。
【請求項７】
前記制御部は、
１の前記記録装置に対する前記所定の設定に係る処理を実行させた後、当該１の前記記録装置を再起動させ、当該１の前記記録装置の再起動が完了したか否かにかかわらず、当該１の前記記録装置の次に処理対象とする次の前記記録装置に対する前記所定の設定に係る処理を開始することを特徴とすることを特徴とする請求項１乃至６のいずれか１項に記載の端末装置。
【請求項８】
記録媒体に記録する複数の記録装置と、
前記記録装置と無線通信する無線通信部、特定のネットワーク識別子である対象ネットワーク識別子を記憶する記憶部、及び、無線通信によって通信可能な記録装置を探索してネットワーク識別子を取得し、取得したネットワーク識別子に、前記対象ネットワーク識別子と一致するものが複数ある場合、前記対象ネットワーク識別子と一致するネットワーク識別子の複数の前記記録装置と無線通信し、複数の前記記録装置に対して連続して所定の設定を行う制御部を有する端末装置と、
を備えることを特徴とする設定システム。
【請求項９】
記録媒体に記録する記録装置の設定方法であって、
特定のネットワーク識別子である対象ネットワーク識別子を記憶し、
無線通信によって通信可能な記録装置を探索してネットワーク識別子を取得し、取得したネットワーク識別子に、前記対象ネットワーク識別子と一致するものが複数ある場合、前記対象ネットワーク識別子と一致するネットワーク識別子の複数の前記記録装置と無線通信し、複数の前記記録装置に対して連続して所定の設定を行う
ことを特徴とする設定方法。
【発明の詳細な説明】
【技術分野】
【０００１】
本発明は、端末装置、設定システム、及び、設定方法に関する。
【背景技術】
【０００２】
従来、記録装置の各種設定を、当該記録装置と無線通信した端末装置によって行う手法が知られている（例えば、特許文献１参照）。特許文献１では、ネットワークへの接続の設定において、端末装置がＩＰアドレス等のデバイス情報と、ＳＳＩＤ等のネットワーク情報とを取得して、記録装置のネットワークへの接続設定を行うことが開示されている。
【先行技術文献】
【特許文献】
【０００３】
【特許文献１】特開２０１３−７３４６９号公報
【発明の概要】
【発明が解決しようとする課題】
【０００４】
しかしながら、特許文献１では、複数の記録装置に対して設定を行う際、ユーザーが記録装置毎に設定を繰り返し行わなければならず、複数の記録装置に対する設定が容易でない。
そこで、本発明は、複数の記録装置に対する設定が容易にできる端末装置、設定システム、及び、設定方法を提供することを目的とする。
【課題を解決するための手段】
【０００５】
上記目的を達成するために、本発明の端末装置は、無線通信する無線通信部と、特定のネットワーク識別子である対象ネットワーク識別子を記憶する記憶部と、無線通信によって通信可能な記録装置を探索してネットワーク識別子を取得し、取得したネットワーク識別子に、前記対象ネットワーク識別子と一致するものが複数ある場合、前記対象ネットワーク識別子と一致するネットワーク識別子の複数の前記記録装置と無線通信し、複数の前記記録装置に対して連続して所定の設定を行う制御部と、を備えることを特徴とする。
本発明の構成によれば、複数の記録装置に対する設定が容易にできる。
【０００６】
また、本発明の端末装置は、前記所定の設定は、前記記録装置の記録に係る設定を含み、前記制御部は、前記記録装置の記録に係る設定について、複数の前記記録装置に対して同一の設定を行うことを特徴とする。
本発明の構成によれば、記録結果の態様が同様となるよう、複数の記録装置に対し設定できる。
【０００７】
また、本発明の端末装置は、前記所定の設定は、所定の無線ネットワークへの接続に係るアドレスの設定を含み、前記制御部は、前記記録装置の前記所定の無線ネットワークへの接続に係るアドレスの設定について、複数の前記記録装置に対してそれぞれ異なるアドレスを設定することを特徴とする。
本発明の構成によれば、複数の記録装置に対し、連続して適切なアドレスを設定できる。
【０００８】
また、本発明の端末装置は、前記制御部は、複数の前記記録装置に対して、予め設定された初期値をインクリメントし、前記インクリメントによって得られた値をアドレスとして設定することを特徴とする。
本発明の構成によれば、複数の前記記録装置に対して、連続した値のアドレスを設定できる。
【０００９】
また、本発明の端末装置は、前記制御部は、複数の前記記録装置に対し、予め設定された複数のアドレスに基づいて、アドレスを設定することを特徴とする。
本発明の構成によれば、複数の端末装置に対して、予め設定した所望のアドレスを設定できる。
【００１０】
また、本発明の端末装置は、前記制御部は、複数の前記記録装置に対して前記所定の無線ネットワークへの接続に係るアドレスの設定を行って、複数の前記記録装置を前記所定の無線ネットワークへ接続させた後、前記所定の無線ネットワークを介して複数の前記記録装置と通信し、設定された情報を前記記録媒体に記録させることを特徴とする。
本発明の構成によれば、各記録装置について、設定が行われたか否かを確認できる。
【００１１】
また、本発明の端末装置は、前記制御部は、１の前記記録装置に対する前記所定の設定に係る処理を実行させた後、当該１の前記記録装置を再起動させ、当該１の前記記録装置の再起動中に、当該１の前記記録装置の次に処理対象とする次の前記記録装置に対する前記所定の設定に係る処理を開始することを特徴とすることを特徴とする。
本発明の構成によれば、複数の記録装置に対する設定に要する時間を短縮できる。
【００１２】
また、上記目的を達成するために、本発明の設定システムは、記録媒体に記録する複数の記録装置と、前記記録装置と無線通信する無線通信部、特定のネットワーク識別子である対象ネットワーク識別子を記憶する記憶部、及び、無線通信によって通信可能な記録装置を探索してネットワーク識別子を取得し、取得したネットワーク識別子に、前記対象ネットワーク識別子と一致するものが複数ある場合、前記対象ネットワーク識別子と一致するネットワーク識別子の複数の前記記録装置と無線通信し、複数の前記記録装置に対して連続して所定の設定を行う制御部を有する端末装置と、を備えることを特徴とする。
本発明の構成によれば、複数の記録装置に対する設定が容易にできる。
【００１３】
また、上記目的を達成するために、本発明は、記録媒体に記録する記録装置の設定方法であって、特定のネットワーク識別子である対象ネットワーク識別子を記憶し、無線通信によって通信可能な記録装置を探索してネットワーク識別子を取得し、取得したネットワーク識別子に、前記対象ネットワーク識別子と一致するものが複数ある場合、前記対象ネットワーク識別子と一致するネットワーク識別子の複数の前記記録装置と無線通信し、複数の前記記録装置に対して連続して所定の設定を行うことを特徴とする。
【図面の簡単な説明】
【００１４】
【図１】本実施形態に係るＰＯＳシステムの構成を示す図。
【図２】モバイルプリンターの機能ブロック図。
【図３】ＰＯＳ端末装置の機能ブロック図。
【図４】モバイルプリンターへの初期設定の説明に利用する図。
【図５】モバイルプリンターとＰＯＳ端末装置の動作を示すフローチャート。
【図６】表示画面の一例を示す図。
【図７】初期設定を行う場合のタイムチャートを示す図。
【発明を実施するための形態】
【００１５】
以下、図面を参照して本発明の実施形態について説明する。
図１は、本実施形態に係るＰＯＳ（Point Of Sale）システム１（設定システム）の構成を示す図である。
【００１６】
ＰＯＳシステム１は、ショッピングセンターや、コンビニエンスストア、車内販売等の小売業や、レストランや、喫茶店、居酒屋等の飲食業等の業務で利用されるシステムである。ＰＯＳシステム１は、顧客が購入した商品に応じて会計を行う機能や、会計に応じてレシートを発行する機能等を有する。
図１に示すように、本実施形態のＰＯＳシステム１は、モバイルプリンター２（記録装置）と、ＰＯＳ端末装置３（端末装置）とを備える。
【００１７】
モバイルプリンター２は、携帯可能な小型の記録装置であり、例えば、腰等の使用者の身体に装着て携帯されて使用され、また、店舗においてレジカウンター等の所定の位置に設けられて使用される。
ＰＯＳ端末装置３は、タッチパネルを備えるタブレット型の端末装置である。
図１に示すように、本実施形態のＰＯＳシステム１において、モバイルプリンター２とＰＯＳ端末装置３とは、アクセスポイントである代表アクセスポイントＡＰを有する無線ネットワークＮを介して通信する。代表アクセスポイントＡＰは、無線ネットワークＮ内の装置間の無線通信を中継する装置である。
【００１８】
本実施形態においてＰＯＳシステム１は、ユーザーのＰＯＳ端末装置３の操作に応じて、モバイルプリンター２にレシートを印刷させる。
ここで、具体的に、ＰＯＳシステム１について、ＰＯＳシステム１が電車やバス等の車内販売に利用される場合を例示し説明する。
車内には１又は複数の代表アクセスポイントＡＰが設けられ、車内において車内販売が行われる領域で、ＰＯＳ端末装置３、及び、モバイルプリンター２と代表アクセスポイントＡＰと通信可能な状態とされる。
【００１９】
車内販売にて商品を販売する販売員には、モバイルプリンター２とＰＯＳ端末装置３とが付与される。販売員は、モバイルプリンター２とＰＯＳ端末装置３とを携帯し、車内を移動して商品の販売を行う。販売員は、顧客が商品を購入する際に、ＰＯＳ端末装置３を操作する。ＰＯＳ端末装置３は、商品の会計に対する所定のユーザーインターフェースを販売員に提供する。販売員は、当該ユーザーインターフェースを操作し、会計に対する入力を行い、また、ユーザーインターフェースに表示された会計に関する情報を参照する。ＰＯＳ端末装置３は、商品の会計に応じたレシートに係る印刷データを、代表アクセスポイントＡＰを介して、モバイルプリンター２に送信する。モバイルプリンター２は、印刷データを受信すると、受信した印刷データに基づいてレシートを発行する。つまり、モバイルプリンター２は、ＰＯＳ端末装置３にて行われる会計に応じて、レシートを発行する。モバイルプリンター２により発行されたレシートは、商品を購入した顧客に引き渡される。
【００２０】
このように、モバイルプリンター２とＰＯＳ端末装置３とは、代表アクセスポイントＡＰを有する無線ネットワークＮを介して通信し、顧客の会計に応じて会計処理を行ってレシートを発行する。
【００２１】
ここで、モバイルプリンター２とＰＯＳ端末装置３との無線ネットワークＮへの接続について説明する。
無線ネットワークＮの代表アクセスポイントＡＰは、無線ネットワークを識別するための識別子であるネットワーク識別子を有する。一般に、ネットワーク識別子は、無線ネットワーク毎に固有である。従って、無線ネットワークＮと他の無線ネットワークとのネットワーク識別子は異なる。また、代表アクセスポイントＡＰは、接続を制限する鍵情報を有する。本実施形態では、無線ネットワークＮを、ＩＥＥＥ８０２．１１ｘで規定される無線ＬＡＮ（Local Area Network）とする。この場合において、ネットワーク識別子は、ＳＳＩＤ（Service Set Identifier）である。また、鍵情報は、パスフレーズ及び暗号化方式を含む。パスフレーズは、無線ＬＡＮによる通信を暗号化するために使用される暗号鍵である。暗号化方式は、例えばＷＥＰ（Wired Equivalent Privacy）、ＷＰＡ（Wi-Fi Protected Access）、或いは、これらを拡張／改良した暗号化方式が挙げられる。
【００２２】
無線ネットワークＮに接続する装置、すなわち、モバイルプリンター２とＰＯＳ端末装置３とは、無線ネットワークＮに接続する他の装置と識別するための情報であるネットワーク情報を有する。ネットワーク情報は、無線ネットワークＮに接続される装置毎に固有である。つまり、無線ネットワークＮに接続するモバイルプリンター２とＰＯＳ端末装置３とのネットワーク情報は異なる。本実施形態において、ネットワーク情報はＩＰアドレス（アドレス）である。
【００２３】
モバイルプリンター２は、代表アクセスポイントＡＰのＳＳＩＤ及び鍵情報が、後述する記録設定ファイルＫＦに設定されることにより、代表アクセスポイントＡＰを介して無線ネットワークＮに接続する。また、ＰＯＳ端末装置３は、代表アクセスポイントＡＰのＳＳＩＤ及び鍵情報が、後述する端末設定ファイルＴＦに設定されることにより、代表アクセスポイントＡＰを介して無線ネットワークＮに接続する。
【００２４】
図２は、モバイルプリンター２の機能ブロック図である。
図２に示すように、モバイルプリンター２は、記録制御部２１と、記録記憶部２２と、操作部２３と、記録部２４と、記録通信部２５とを備える。
【００２５】
記録制御部２１は、図示しないＣＰＵや、ＲＯＭ、ＲＡＭ等を備え、ＲＯＭに記憶された各種プログラム及びデータをＣＰＵによって実行することにより、モバイルプリンター２を制御する。
【００２６】
記録記憶部２２は、ハードディスクや、ＥＥＰＲＯＭ等の不揮発性メモリーを備え、データを書き換え可能に記憶する。また、記録記憶部２２は、記録設定ファイルＫＦを記憶する。記録設定ファイルＫＦには、モバイルプリンター２に関する設定項目と、設定項目に対応する設定値との組み合わせが記憶される。
本実施形態では、モバイルプリンター２に関する設定項目は、記録に係る設定項目と、通信に係る設定項目とを含む。
記録に係る設定項目は、印字濃度や、印字速度等のモバイルプリンター２の記録動作の設定に係る設定項目や、余白等のモバイルプリンター２が記録する画像に係る設定項目を含む。
また、通信に係る設定項目は、アクセスポイントにアクセスするときのＳＳＩＤ及び鍵情報や、自身のＩＰアドレス等の無線通信に係る設定項目を含む。
以下の説明において、記録設定ファイルＫＦに設定すると表現する場合、記録設定ファイルＫＦに記録された所定の設定項目に設定値をセットすることをいう。後述する端末設定ファイルＴＦに設定すると表現する場合も同様である。
【００２７】
操作部２３は、操作ボタンを備える。本実施形態では、操作部２３は、操作ボタンとして、図１に示す電源ボタンＢ２３ａと設定ボタンＢ２３ｂとを備える。電源ボタンＢ２３ａは、モバイルプリンター２の電源のオンオフを切り替えるための操作ボタンである。設定ボタンＢ２３ｂは、モバイルプリンター２を、無線ネットワークを有するアクセスポイントとして機能させるための操作ボタンである。
【００２８】
記録部２４は、感熱紙のロール紙（記録媒体）にドットを形成するサーマルヘッド、ロール紙を搬送する搬送機構、ロール紙を切断する切断機構等を備える。記録部２４は、記録制御部２１の制御で、ロール紙を搬送しつつ、ロール紙にドットを形成して画像を記録する。記録部２４は、記録制御部２１の制御で、ロール紙を所定の位置で切断し、画像が記録された紙片を発行する。
【００２９】
記録通信部２５は、記録制御部２１の制御で、所定の無線通信の規格に従って、無線通信を行う。
記録通信部２５は、動作モードとして、記録第１モードと、記録第２モードとの２つのモードを有する。
【００３０】
記録第１モードでは、記録通信部２５は、アクセスポイントとして機能し、アクセスポイントとして外部装置と無線通信する。
アクセスポイントとして機能する記録通信部２５（モバイルプリンター２）のＳＳＩＤは、所定のデフォルト値（以下、「ＳＳＩＤデフォルト値」という。）である。
また、アクセスポイントとして機能する記録通信部２５（モバイルプリンター２）との通信で使用する鍵情報は、所定のデフォルト値（以下、「鍵情報デフォルト値」という。）である。
ＳＳＩＤデフォルト値、及び、鍵情報デフォルト値は、モバイルプリンター２の所定の記憶領域に記憶される。
【００３１】
記録第２モードでは、記録通信部２５は、代表アクセスポイントＡＰと無線ＬＡＮに係る規格に従って通信する。
記録第２モードでは、記録設定ファイルＫＦのＳＳＩＤ（設定項目）に、代表アクセスポイントＡＰのＳＳＩＤの値（以下、「代表アクセスポイントＳＳＩＤ値」という。）がセットされる。また、記録第２モードでは、記録設定ファイルＫＦの鍵情報（設定項目）に、代表アクセスポイントＡＰと通信するときに使用する鍵情報の値（以下、「代表アクセスポイント鍵情報値」という。）がセットされる。
以下の説明では、設定項目としてのＳＳＩＤにセットされる設定値のことをＳＳＩＤ値と表現し、設定項目としてのＳＳＩＤと区別する。また、設定項目としての鍵情報にセットされる設定値のことを鍵情報値と表現し、設定項目としての鍵情報と区別する。
ＰＯＳ端末装置３を介してモバイルプリンター２の記録設定ファイルＫＦのＳＳＩＤに代表アクセスポイントＳＳＩＤ値をセットし、鍵情報に代表アクセスポイント鍵情報値をセットする設定処理のときのＰＯＳ端末装置３、及び、モバイルプリンター２の動作については後述する。
【００３２】
次に、ＰＯＳ端末装置３について説明する。
図３は、ＰＯＳ端末装置３の機能ブロック図である。
図３に示すように、ＰＯＳ端末装置３は、端末制御部３１（制御部）と、端末記憶部３２（記憶部）と、タッチパネル３３と、端末通信部３４（無線通信部）とを備える。
【００３３】
端末制御部３１は、図示しないＣＰＵや、ＲＯＭ、ＲＡＭ等を備え、ＲＯＭに記憶された各種プログラム及びデータをＣＰＵによって実行することにより、ＰＯＳ端末装置３を制御する。
【００３４】
端末記憶部３２は、ハードディスクや、ＥＥＰＲＯＭ等の不揮発性メモリーを備え、データを書き換え可能に記憶する。また、端末記憶部３２は、端末設定ファイルＴＦを記憶する。
端末設定ファイルＴＦには、ＰＯＳ端末装置３に係る設定項目と、設定項目に対応する設定値との組み合わせが記憶される。ＰＯＳ端末装置３に係る設定項目は、アクセスするアクセスポイントのＳＳＩＤや、鍵情報、自身に設定されたＩＰアドレスを含む。
【００３５】
また、端末記憶部３２の所定の記録領域には、上述したＳＳＩＤデフォルト値、及び、鍵情報デフォルト値と、代表アクセスポイントＳＳＩＤ値、及び、代表アクセスポイント鍵情報値とが記憶される。
端末記憶部３２が記憶するＳＳＩＤデフォルト値は、「対象ネットワーク識別子」に相当する。
【００３６】
また、端末記憶部３２は、ＰＯＳアプリケーション（以下、「ＰＯＳアプリＰＡ」と表現する。）と設定アプリケーション（以下、「設定アプリＳＡ」と表現する。）とを記憶する。
ＰＯＳアプリＰＡは、会計に係る処理を実行するためのアプリケーションであり、例えば商品の会計に対する所定のユーザーインターフェースを提供する。また、ＰＯＳアプリＰＡは、商品の会計に応じたレシートに係る印刷データを生成する。
設定アプリＳＡは、モバイルプリンター２の初期設定（後述）や設定変更等の操作を実行するためのアプリケーションであり、例えば初期設定や設定変更等に係るユーザーインターフェースを提供する。
【００３７】
タッチパネル３３は、表示パネル３３ａと、タッチセンサー３３ｂを備える。表示パネル３３ａは、液晶ディスプレイやＥＬ（Electro Luminescent）ディスプレイ等により構成され、端末制御部３１の制御の下、各種情報を表示パネル３３ａに表示する。タッチセンサー３３ｂは、表示パネル３３ａに重ねて配置され、ユーザーのタッチ操作を検出し、端末制御部３１に出力する。
【００３８】
端末通信部３４は、端末制御部３１の制御で、所定の無線通信の規格に従って、無線通信を行う。
端末通信部３４は、動作モードとして、端末第１モードと、端末第２モードとの２つのモードを有する。
【００３９】
端末第１モードでは、端末通信部３４は、アクセスポイントとして機能する記録通信部２５（モバイルプリンター２）と、無線ＬＡＮに係る規格に従って通信する。
端末第１モードでは、端末設定ファイルＴＦのＳＳＩＤ（設定項目）に、ＳＳＩＤデフォルト値（アクセスポイントとして機能する記録通信部２５のＳＳＩＤ値）がセットされる。また、端末第１モードでは、端末設定ファイルＴＦの鍵情報（設定項目）に、鍵情報デフォルト値（アクセスポイントとして機能する記録通信部２５の鍵情報値）がセットされる。
【００４０】
端末第２モードでは、端末通信部３４は、代表アクセスポイントＡＰと、無線ＬＡＮに係る規格に従って通信する。
端末第２モードでは、端末設定ファイルＴＦのＳＳＩＤ（設定項目）に、代表アクセスポイントＡＰのＳＳＩＤ値がセットされる。また、端末第２モードでは、端末設定ファイルＴＦの鍵情報（設定項目）に、代表アクセスポイントＡＰと通信するときに使用する鍵情報値がセットされる。
【００４１】
ところで、上述したように、モバイルプリンター２が記憶する記録設定ファイルＫＦには、設定項目として、記録に係る設定項目と、通信に係る設定項目とが記録される。そして、モバイルプリンター２が記憶する記録設定ファイルＫＦの記録に係る設定項目、及び、通信に係る設定項目には、モバイルプリンター２をＰＯＳシステム１に導入して、無線ネットワークＮに接続するときに、後述する方法により、ＰＯＳ端末装置３により設定値がセットされる。
以下、モバイルプリンター２をＰＯＳシステム１に導入する際にＰＯＳ端末装置３により行われるモバイルプリンター２への設定を、「初期設定」という。
【００４２】
ここで、ＰＯＳシステム１では、無線ネットワークＮに複数のモバイルプリンター２が接続される場合がある。
例えば、上記で例示したＰＯＳシステム１が車内販売に利用される場合は、複数の販売員にＰＯＳ端末装置３、及び、モバイルプリンター２が付与され、複数のモバイルプリンター２のそれぞれが代表アクセスポイントＡＰを介して無線ネットワークＮに接続される。
また例えば、モバイルプリンター２が店舗のレジに設けられる場合は、各レジに設けられた複数のモバイルプリンター２のそれぞれが代表アクセスポイントＡＰを介して無線ネットワークＮに接続される。
このように、複数のモバイルプリンター２が代表アクセスポイントＡＰを介して無線ネットワークＮに接続される場合、複数のモバイルプリンター２への初期設定を簡易化し、また、初期設定に要する時間を短縮化したいとするニーズがある。
以上を踏まえ、初期設定に関し、モバイルプリンター２、及び、ＰＯＳ端末装置３は、以下の処理を実行する。
【００４３】
図４は、モバイルプリンター２への初期設定の説明に利用する図である。
以下では、適宜、図４に示すように、モバイルプリンター２ａと、モバイルプリンター２ｂと、モバイルプリンター２ｃと、モバイルプリンター２ｄとの４台のモバイルプリンター２を初期設定して、これら４台のモバイルプリンター２が代表アクセスポイントＡＰを介して無線ネットワークＮに接続された状態を構築する場合を例にして説明する。
【００４４】
図５は、モバイルプリンター２とＰＯＳ端末装置３との動作を示すフローチャートであり、図５（Ａ）は初期設定の対象となる複数のモバイルプリンター２うちの１つのモバイルプリンター２の動作を示し、図５（Ｂ）はＰＯＳ端末装置３の動作を示す。
後に明らかとなるとおり、複数のモバイルプリンター２の初期設定は、１台のＰＯＳ端末装置３により行われる。
【００４５】
複数のモバイルプリンター２について初期設定を行う場合、ユーザーは、複数のモバイルプリンター２の電源ボタンＢ２３ａを操作してモバイルプリンター２の電源を投入し、さらに、設定ボタンＢ２３ｂを操作する。
【００４６】
図５（Ａ）に示すように、設定ボタンＢ２３ｂへの操作を検出すると（ステップＳＡ１）、モバイルプリンター２の記録制御部２１は、記録第１モードへ移行する（ステップＳＡ２）。記録第１モードへの移行に伴って、モバイルプリンター２は、ＳＳＩＤがＳＳＩＤデフォルト値であり、鍵情報が鍵情報デフォルト値のアクセスポイントとして機能する（ステップＳＡ３）。
【００４７】
ユーザーは、初期設定を行う複数のモバイルプリンター２を記録第１モードへ移行させて、アクセスポイントとして機能させた後、ＰＯＳ端末装置３の設定アプリＳＡの起動を指示する。なお、複数のモバイルプリンター２の設定に際し、ユーザーは、１台のＰＯＳ端末装置３の設定アプリＳＡを起動すればよい。
図５（Ｂ）に示すように、ユーザーの指示に応じて設定アプリＳＡが起動する（ステップＳＢ１）。ステップＳＢ２以下の処理は、ステップＳＢ１で起動した設定アプリＳＡの機能により実行される。
設定アプリＳＡの起動後、端末制御部３１は、端末通信部３４を制御し、通信可能なアクセスポイントの検出を行う（ステップＳＢ２）。アクセスポイントの検出は、既存の技術により行われる。
次いで、端末制御部３１は、検出したアクセスポイントのＳＳＩＤ値を表示パネル３３ａに一覧表示する（ステップＳＢ３）。
【００４８】
図６は、検出したＳＳＩＤ値が一覧表示された表示画面１００の一例を示す図である。
ここで、本例では、図４に示すモバイルプリンター２ａ〜２ｄの４台のモバイルプリンター２、及び、代表アクセスポイントＡＰは、ＰＯＳ端末装置３と通信可能な範囲に位置しており、他のアクセスポイントは、ＰＯＳ端末装置３と通信可能な範囲に位置しない。
従って、表示画面１００に表示されるアクセスポイントのＳＳＩＤ値は、アクセスポイントとして機能するモバイルプリンター２ａ〜２ｄの４台のモバイルプリンター２、及び、代表アクセスポイントＡＰの５つのアクセスポイントのＳＳＩＤ値である。
【００４９】
図６において、情報Ｊ１〜情報Ｊ４は、それぞれ、モバイルプリンター２ａ〜２ｄのＳＳＩＤ値（図６の例では、値「Ｓｉｍｐｌｅ」）である。また、情報Ｊ５は、代表アクセスポイントＡＰのＳＳＩＤ値（図６の例では、値「ａｂｃｄｅｆ」）である。
モバイルプリンター２のそれぞれについて、ＳＳＩＤデフォルト値、及び、鍵情報デフォルト値は、同一の値である。従って、初期設定を行う対象の複数のモバイルプリンター２が検出され、表示画面１００に複数のモバイルプリンター２のＳＳＩＤ値が表示される場合、図６に示すように、各ＳＳＩＤ値の値は同一である。
【００５０】
表示画面１００には、一括設定の開始を指示するボタンＢ１が設けられる。
一括設定とは、検出されたアクセスポイントのうち、ＳＳＩＤがＳＳＩＤデフォルト値のアクセスポイント（モバイルプリンター２）に対して、連続して一括で、初期設定を行う処理である。
つまり、一括設定では、ＳＳＩＤ値が、ＳＳＩＤデフォルト値（対象ネットワーク識別子）である複数のモバイルプリンター２（記録装置）が、初期設定の対象となる。
【００５１】
以下の説明では、ステップＳＢ２で通信可能なアクセスポイントとして検出されたモバイルプリンター２のうち、ＳＳＩＤ値がＳＳＩＤデフォルト値であるモバイルプリンター２のことを、「検出モバイルプリンター」と表現する。本例では、モバイルプリンター２ａ〜２ｄの４台のモバイルプリンター２のそれぞれが、「検出モバイルプリンター」に相当する。
【００５２】
図５のフローチャートの説明に戻り、図６の表示画面１００が表示するボタンＢ１をユーザーが操作した場合、端末制御部３１は、端末第１モードに移行する（ステップＳＢ４）。上述したように、端末第１モードでは、端末設定ファイルＴＦのＳＳＩＤにＳＳＩＤデフォルト値がセットされ、鍵情報に鍵情報デフォルト値がセットされる。
【００５３】
次いで、端末制御部３１は、検出モバイルプリンターの中から、ステップＳＢ６以下の処理による初期設定の対象とするモバイルプリンター２を１つ決定する（ステップＳＢ５）。処理対象とする順番は、通信強度が高い順番等、どのような順番でもよい。
以下の説明では、初期設定の対象とするモバイルプリンター２を、「処理対象モバイルプリンター」と表現する。
本例では、モバイルプリンター２ａ〜２ｄが、所定の順番で、処理対象モバイルプリンターとなり、初期設定が行われる。
図５（Ａ）のフローチャートにおいて、ステップＳＡ４以下の処理の主体は、処理対象モバイルプリンターである。
【００５４】
次いで、端末制御部３１は、処理対象モバイルプリンターの記録制御部２１と通信して、アクセスポイントとしての処理対象モバイルプリンターと通信リンクを確立し、ＰＯＳ端末装置３とモバイルプリンター２とが無線通信できる状態とする（ステップＳＡ４、ステップＳＢ６）。つまり、端末制御部３１は、アクセスポイントとして機能する対象とするモバイルプリンター２が構築する無線ネットワークと接続する。
【００５５】
次いで、端末制御部３１は、設定情報を生成し、送信する（ステップＳＢ７）。
【００５６】
設定情報は、記録設定ファイルＫＦに記録された設定項目と、ユーザーにより登録された設定値との組み合わせを、複数、含む情報である。後述するように、モバイルプリンター２の記録制御部２１は、設定情報に基づいて設定項目に設定値をセットする。
上述したように、記録設定ファイルＫＦの設定項目は、記録に係る設定項目と、通信に係る設定項目とを含む。記録に係る設定項目は、印字速度、印字濃度、及び、余白を含み、また、通信に係る設定項目は、アクセスするアクセスポイントのＳＳＩＤ、使用する鍵情報、及び、自身のＩＰアドレスを含む。
【００５７】
設定情報において、記録に係る設定項目の設定値は、ユーザーが登録した設定値とされる。そして、検出モバイルプリンターのそれぞれに送信される設定情報の記録に係る設定項目に対応する設定値は、同一の値である。これにより、初期設定を行う検出モバイルプリンターのそれぞれについて、記録に係る設定項目に、同一の値の設定値をセットすることができる。これにより、初期設定が行われた各検出モバイルプリンターの記録結果の態様を同様とすることができる。すなわち、各検出モバイルプリンターがレシートを発行するときの印字速度、印字濃度が同様となるため、発行されるレシートの印字品質が同様となり、また、各検出モバイルプリンターが発行したレシートにおける余白が同様となるため、レシートにおける余白と画像とのバランスが同様となる。
【００５８】
また、各検出モバイルプリンターに送信する設定情報において、ＳＳＩＤの設定値（ＳＳＩＤ値）は、代表アクセスポイントＳＳＩＤ値とされ、鍵情報の設定値（鍵情報値）は、代表アクセスポイント鍵情報値とされる。これにより、記録第２モードにおいて、各検出モバイルプリンターがアクセスするアクセスポイントを代表アクセスポイントＡＰとすることができる。
【００５９】
また、端末制御部３１は、ＩＰアドレスの設定値を、以下の第１の方法、又は、第２の方法によって定める。
【００６０】
第１の方法では、端末制御部３１は、１つ目に処理対象とする処理対象モバイルプリンターに送信する設定情報におけるＩＰアドレスの設定値を、所定の初期値とする。以後、端末制御部３１は、モバイルプリンター２に設定情報を送信する度に、初期値をインクリメントし、インクリメントにより得られたＩＰアドレスの値を、設定値とする。この場合、初期値は、端末記憶部３２に予め記憶される。例えば、初期値として「１９２．１６８．０．０」が記憶された状態とすると、１つ目に処理対処とされる処理対象モバイルプリンターに送信する設定情報におけるＩＰアドレスの設定値は「１９２．１６８．０．０」であり、次に処理対象とされる処理対象モバイルプリンターに送信する設定情報におけるＩＰアドレスの設定値は「１９２．１６８．０．１」である。
第１の方法によれば、初期設定を行う複数のモバイルプリンター２のＩＰアドレスの値が、連続した値となり、各モバイルプリンター２のＩＰアドレスの管理が容易である。
【００６１】
第２の方法では、複数のモバイルプリンター２に割り当てる複数のＩＰアドレスの値がユーザーにより事前に登録される。
端末制御部３１は、ユーザーに登録されたＩＰアドレスの値から、所定の規則に従って、重複しないように１つのＩＰアドレスを選択し、選択したＩＰアドレスを、設定情報におけるＩＰアドレスの設定値とする。
第２の方法によれば、ユーザーは、複数のモバイルプリンター２に対して所望の値のＩＰアドレスを割り振ることができる。
【００６２】
なお、設定情報におけるＩＰアドレスの設定値を定める方法は、例示した第１の方法、第２の方法に限らない。例えば、ＰＯＳ端末装置３とＤＨＣＰサーバーとを接続し、端末制御部３１が、ＤＨＣＰサーバーの機能を利用して、ＩＰアドレスの値を定める方法でもよい。
【００６３】
ユーザーは、ＰＯＳ端末装置３を操作することによって、設定アプリＳＡの機能により、設定情報の設定項目に対する設定値を入力し、その設定値を予め登録する。
【００６４】
図５（Ａ）に示すように、モバイルプリンター２の記録制御部２１は、設定情報を受信し（ステップＳＡ５）、設定情報に基づく設定項目に対する設定値を適用する（ステップＳＡ６）。ここで、設定情報に基づく設定項目に対する設定値の適用とは、記録制御部２１が、設定情報に基づく設定項目に対する設定値を、記録設定ファイルＫＦの設定項目にセットすることを示す。
【００６５】
図５（Ｂ）に示すように、ＰＯＳ端末装置３の端末制御部３１は、設定情報を送信すると、モバイルプリンター２に再起動コマンドを送信する（ステップＳＢ８）。モバイルプリンター２は、設定情報に基づく設定値の適用が完了した場合、そのことを送信する構成を有する。端末制御部３１は、設定情報に基づく設定値の適用が終了したことを示す情報を受信したことをトリガーとして再起動コマンドを送信する。
モバイルプリンター２の記録制御部２１は、ＰＯＳ端末装置３から再起動コマンドを受信すると（ステップＳＡ７）、再起動コマンドに基づいて、再起動を実行する（ステップＳＡ８）。
再起動に伴う初期化処理により、設定情報に基づく設定が反映されると共に、動作モードが記録第２モードへ移行する。記録第２モードへの移行に応じて、モバイルプリンター２の記録制御部２１は、代表アクセスポイントＡＰにアクセスし、無線ネットワークＮと接続する（ステップＳＡ９）。
【００６６】
図５（Ｂ）に示すように、ＰＯＳ端末装置３の端末制御部３１は、再起動コマンドを送信すると以下の処理を実行する。すなわち、端末制御部３１は、処理対象モバイルプリンターを初期設定が完了したモバイルプリンター２として管理して、初期設定の対象から外し、表示画面１００から処理対象モバイルプリンターに対応するＳＳＩＤ値を示す情報を消去する（ステップＳＢ９）。このように、再起動コマンドを送信したモバイルプリンター２を初期設定の対象から外すことによって、重複して初期設定が行われることを防止できる。また、表示画面１００から処理対象モバイルプリンターのＳＳＩＤ値を示す情報を消去することによって、ユーザーは、複数のモバイルプリンター２の初期設定についての進捗状況を把握できる。
【００６７】
次いで、ＰＯＳ端末装置３の端末制御部３１は、初期設定が完了した状態でない検出モバイルプリンターが他に無いか否かを判別する（ステップＳＢ１０）。
端末制御部３１は、ステップＳＢ１０の処理を、再起動コマンドに基づく処理対象モバイルプリンターの再起動が完了したか否かにかかわらず、再起動コマンドを送信した後に実行する。
初期設定が未完了の検出モバイルプリンターが他にある場合（ステップＳＢ１０：ＮＯ）、端末制御部３１は、処理手順をステップＳＢ５に戻す。
初期設定が未完了の検出モバイルプリンターが他に無い場合（ステップＳＢ１０：ＹＥＳ）、端末制御部３１は処理手順をステップＳＢ１３へ移行する。ステップＳＢ１３以下の処理については後述する。
【００６８】
以上のように、ＰＯＳ端末装置３の端末制御部３１は、複数のモバイルプリンター２に対して、段階的に連続して設定情報を送信して、設定情報に基づく設定を行わせ、再起動コマンドを送信して再起動させる。そして、端末制御部３１は、再起動コマンドの送信後、再起動コマンドに基づく再起動が完了したか否かにかからず、初期設定が未完了のモバイルプリンター２が存在する場合は、１のモバイルプリンターを初期設定の処理対象として、初期設定に係る処理を開始する。これにより、以下の効果を奏する。
【００６９】
図７は、図４に示す４台のモバイルプリンター２が、ＰＯＳ端末装置３の制御に基づいて初期設定を行う場合のタイムチャートを示す図である。図７（Ａ）はモバイルプリンター２ａが行う処理を示す。また、図７（Ｂ）は、モバイルプリンター２ｂが行う処理を示す。また、図７（Ｃ）は、モバイルプリンター２ｃが行う処理を示す。また、図７（Ｄ）は、モバイルプリンター２ｄが行う処理を示す。
ここで、説明の便宜上、図７に示すように、各モバイルプリンター２が初期設定時に行う処理を処理ａ、処理ｂ、及び、処理ｃの３つの処理に大別する。処理ａは、ＰＯＳ端末装置３と無線通信に係る通信リンクを確立する処理を示す。処理ｂは、ＰＯＳ端末装置３から設定情報を受信し、設定情報に基づく設定を適用させる処理を示す。処理ｃは、ＰＯＳ端末装置３から再起動コマンドを受信し再起動を行う処理を示す。
【００７０】
図７に示すように、モバイルプリンター２ａは、タイミングｔ１において処理ａを開始して、タイミングｔ２において処理ａを終了する。また、モバイルプリンター２ａは、タイミングｔ２において処理ｂを開始し、タイミングｔ３において処理ｂを終了する。また、モバイルプリンター２ａは、タイミングｔ３において処理ｃを開始する。
上述したように、そして、端末制御部３１は、再起動コマンドの送信後、再起動コマンドに基づく再起動が完了したか否かにかからず、初期設定が未完了のモバイルプリンター２が存在する場合は、１のモバイルプリンターを初期設定の処理対象として、初期設定に係る処理を開始する。
この結果、図７に示すように、モバイルプリンター２ａが処理ｃを開始したタイミングｔ３において、モバイルプリンター２ｂは、処理ａを開始する。これにより、モバイルプリンター２ａの処理ｃの少なくとも一部と、モバイルプリンター２ｂの処理ａ及び処理ｂの少なくとも一部とが並行して実行される。
同様に、図７に示すように、モバイルプリンター２ｂの処理ｃの少なくとも一部と、モバイルプリンター２ｃの処理ａ及び処理ｂの少なくとも一部とが並行して実行され、モバイルプリンター２ｃの処理ｃの少なくとも一部と、モバイルプリンター２ｄの処理ａ及び処理ｂの少なくとも一部とが並行して実行される。
【００７１】
このように、ＰＯＳ端末装置３は、１のモバイルプリンター２の再起動に係る処理と、当該１のモバイルプリンター２の次に処理対象とする次のモバイルプリンター２の設定に係る処理とが並行して行われることにより、複数のモバイルプリンター２に対する初期設定に要する時間を短縮できる。
【００７２】
図５のフローチャートの説明に戻り、ＰＯＳ端末装置３の端末制御部３１は、設定の対象となるモバイルプリンター２が他にないと判別した場合（ステップＳＥ１０：ＹＥＳ）、本例の場合、４台のモバイルプリンター２に対して、再起動コマンドを送信し終えた場合、ＰＯＳ端末装置３の端末制御部３１は、端末通信部３４を端末第２モードにし、無線ネットワークＮに接続する（ステップＳＢ１１）。無線ネットワークＮは、モバイルプリンター２が再起動後に接続するネットワークである。
【００７３】
ＰＯＳ端末装置３とモバイルプリンター２とが無線ネットワークＮに接続すると、ＰＯＳ端末装置３の端末制御部３１は、以下の処理を実行する。すなわち、端末制御部３１は、初期設定でモバイルプリンター２のそれぞれに設定したＩＰアドレスを宛先として、代表アクセスポイントＡＰを介して、各モバイルプリンター２に、テスト印字を要求するコマンドを送信する（ステップＳＢ１２）。
【００７４】
図５（Ａ）に示すように、モバイルプリンター２の記録制御部２１は、コマンドを受信すると（ステップＳＡ１０）、ロール紙に所定の情報を記録して、ロール紙を所定の位置で切断し、所定の情報が記録された紙片を発行する。テスト印字を要求するコマンドに基づいて記録される情報は、設定項目としてのＩＰアドレス、印字濃度、印字速度、及び、余白に設定された設定値を含む。
【００７５】
モバイルプリンター２の記録制御部２１は、テスト印字を要求するコマンドに基づく紙片の発行が完了した場合、そのことを示す終了状態データを生成し、ＰＯＳ端末装置３に送信する（ステップＳＡ１１）。ＰＯＳ端末装置３の端末制御部３１は、終了状態データを受信すると（ステップＳＢ１３）、受信した終了状態データに応じた表示を行う（ステップＳＢ１４）。例えば、端末制御部３１は、終了状態データを送信してきたモバイルプリンター２のＩＰアドレスを表示すると共に、当該ＩＰアドレスのモバイルプリンター２によるテスト印字が完了した旨を表示する。これにより、ＰＯＳ端末装置３を操作しモバイルプリンター２の設定を行うユーザーは、テスト印字が終了したモバイルプリンター２を把握できる。
【００７６】
ここで、初期設定が行われたモバイルプリンター２は、テスト印字の要求に応じて、少なくとも設定されたＩＰアドレスが記録された紙片を発行する。換言すれば、初期設定が行われなかったモバイルプリンター２は、紙片の発行を行わない。このため、ユーザーは、初期設定が正常に終了したか否かを、モバイルプリンター２から紙片が発行されたか否かによって確認することができる。例えば、電源の投入のし忘れ等により、初期設定が行われることを希望したモバイルプリンター２について、初期設定が正常に行われなかった場合、ユーザーは、ＰＯＳ端末装置３が送信したコマンドに基づく紙片が発行されないことを認識することにより、初期設定が正常に行われなかったことを認識できる。
【００７７】
以上説明したように、本実施形態に係るＰＯＳ端末装置３（端末装置）は、無線通信する端末通信部３４（無線通信部）と、特定のネットワーク識別子であるＳＳＩＤデフォルト値（対象ネットワーク識別子）を記憶する端末記憶部３２（記憶部）と、無線通信によって通信可能なモバイルプリンター２（記録装置）を探索してＳＳＩＤ（ネットワーク識別子）を取得し、取得したＳＳＩＤに、ＳＳＩＤデフォルト値と一致するものが複数ある場合、ＳＳＩＤデフォルト値と一致するＳＳＩＤの複数のモバイルプリンター２と無線通信し、複数のモバイルプリンター２に対して連続して初期設定（所定の設定）を行う端末制御部３１（制御部）と、を備える。
この構成によれば、アクセスポイントとして機能し、共通のＳＳＩＤの複数のモバイルプリンター２について、自動で、連続して、所定の設定を行えるため、複数のモバイルプリンター２に対する設定を容易に行える。
【００７８】
また、本実施形態では、ＰＯＳ端末装置３の端末制御部３１は、モバイルプリンター２の記録に係る設定を行う場合、複数のモバイルプリンター２に対し、同一の設定値を設定する。
この構成によれば、連続して初期設定が行われたモバイルプリンター２について、記録に係る設定項目にセットされる設定値を同一とし、これにより、各モバイルプリンター２の記録結果の態様を同様とすることができる。
【００７９】
また、本実施形態では、初期設定は、無線ネットワークＮ（所定の無線ネットワーク）への接続に係るＩＰ（アドレス）の設定を含む。そして、端末制御部３１は、モバイルプリンター２の無線ネットワークＮへの接続に係るＩＰアドレスの設定について、複数のモバイルプリンター２に対してそれぞれ異なるＩＰアドレスを設定する。
具体的には、端末制御部３１は、複数のモバイルプリンター２に対して、予め設定された初期値をインクリメントし、インクリメントによって得られた値をＩＰアドレスの設定値として設定する。
この方法（第１の方法）によれば、初期設定を行う複数のモバイルプリンター２のＩＰアドレスの値が、連続した値となり、各モバイルプリンター２のＩＰアドレスの管理が容易である。
また、端末制御部３１は、複数のモバイルプリンター２に対し、予め設定された複数のＩＰアドレスの設定値に基づいて、ＩＰアドレスの設定値を設定する。
この方法（第２の方法）によれば、ユーザーは、複数のモバイルプリンター２に対して所望の値のＩＰアドレスを割り振ることができる。
【００８０】
また、本実施形態では、端末制御部３１は、複数のモバイルプリンター２に設定値を設定した後、モバイルプリンター２が接続する無線ネットワークＮに接続し、モバイルプリンター２に設定された情報を記録した紙片を印刷させる。
この構成によれば、ユーザーは、モバイルプリンター２による紙片の発行の状況を確認することにより、モバイルプリンター２に正常に初期設定が行われたか否かを確認できる。
【００８１】
また、本実施形態では、端末制御部３１は、１のモバイルプリンター２に対する初期設定に係る処理を実行させた後、当該１のモバイルプリンター２を再起動させ、当該１のモバイルプリンター２の再起動が完了したか否かにかかわらず、当該１のモバイルプリンター２の次に処理対象とする次のモバイルプリンター２に対する初期設定に係る処理を開始する。
この構成によれば、１のモバイルプリンター２の再起動に係る処理と、次のモバイルプリンター２の初期設定に係る処理とを並行して行うことができ、複数のモバイルプリンター２に対する初期設定に要する時間を短縮することができる。
【００８２】
なお、上述した実施形態は、あくまでも本発明の一態様を示すものであり、本発明の範囲内で任意に変形および応用が可能である。
例えば、上述した実施形態では、モバイルプリンター２（記録装置）に初期設定を行う装置は、ＰＯＳ端末装置３であった。しかしながら、モバイルプリンター２に初期設定を行う装置は、本実施形態のようにＰＯＳ機能を有する装置である必要はなく、設定アプリＳＡと同様の機能を有するソフトウェアがインストールされた装置であれば何でもよい。
例えば、上述した実施形態では、初期設定で行われる設定について具体的に例示して説明したが、初期設定で行われる設定は例示したものに限らない。
また、上述した実施形態では、モバイルプリンター２は、電源ボタンＢ２３ａが操作されて電源が投入され、設定ボタンＢ２３ｂが操作され、アクセスポイントとして機能する場合を例示したが、これに限られない。例えば、電源ボタンＢ２３ａの操作が、製品出荷後の最初の操作である場合、設定ボタンＢ２３ｂを操作しなくともアクセスポイントとして機能する構成でもよい。
【００８３】
また、例えば、上述した実施形態では、モバイルプリンター２の初期設定を例示したが、モバイルプリンター２に限られず、載置のプリンターでもよい。また、プリンターに限られず、アクセスポイントとして機能する装置の初期設定であれば、本発明を適応できる。
【符号の説明】
【００８４】
１…ＰＯＳシステム（設定システム）、２…モバイルプリンター（記録装置）、３…ＰＯＳ端末装置（端末装置）、３１…端末制御部（制御部）、３２…端末記憶部（記憶部）、３４…端末通信部（無線通信部）、Ｎ…無線ネットワーク（所定の無線ネットワーク）。
【図１】
2016152430.tif 000003
【図２】
2016152430.tif 000004
【図３】
2016152430.tif 000005
【図４】
2016152430.tif 000006
【図５】
2016152430.tif 000007
【図６】
2016152430.tif 000008
【図７】
2016152430.tif 000009